(57)【特許請求の範囲】
【請求項１】
入来する番組信号の内容に応じて、前記番組信号を複数の番組構成部分に識別する識別手段と、
前記入来する番組信号の記録に必要な記録容量と、番組信号の記録のために使用できる記録媒体上の空き容量とを比較して、その比較結果と、前記入来する番組信号に付加されている番組の各構成部分の割合を示す情報と、番組の放送継続時間とに基づいて、前記複数の番組構成部分における各番組構成部分に対して、記録ビットレートを設定するビットレート設定手段と、
前記入来する番組信号を前記ビットレート設定手段にて設定される記録ビットレートにて記録する記録手段とを備え、
前記ビットレート設定手段は、
前記入来する番組信号の記録に必要な記録容量が前記記録媒体上の空き容量を超えている場合に、前記複数の番組構成部分における少なくとも一の番組構成部分の記録ビットレートを他の番組構成部分に比して低下させることにより、前記入来する番組信号の記録に必要な記録容量を前記記録媒体上の空き容量以下とする
ことを特徴とする番組信号記録装置。
【請求項２】
前記識別手段は、
前記入来する番組信号に付加されている番組の各構成部分を示す付加情報に基づき前記複数の番組構成部分を識別することを特徴とする請求項１記載の番組信号記録装置。
【請求項３】
前記ビットレート設定手段は、
前記記録ビットレートを前記入来する番組信号のビットレート以下に設定することを特徴とする請求項１又は２記載の番組信号記録装置。
【請求項４】
前記ビットレート設定手段は、
前記番組の各構成部分の割合を示す情報が、前記入来する番組信号に付加されていない場合は、前記入来する番組信号の番組と同一の番組が放送された時に取得した前記番組の各構成部分の割合を示す情報を、前記入来する番組信号の番組の各構成部分の割合を示す情報として用いることを特徴とする請求項１乃至３の何れか一項記載の番組信号記録装置。
【請求項５】
入来する番組信号の内容に応じて、前記番組信号を複数の番組構成部分に識別し、
前記入来する番組信号の記録に必要な記録容量と、番組信号の記録のために使用できる記録媒体上の空き容量との比較結果と、前記入来する番組信号に付加されている番組の各構成部分の割合を示す情報と、番組の放送継続時間とに基づいて、前記複数の番組構成部分における各番組構成部分の記録ビットレートを設定して、
前記番組信号を設定された記録ビットレートにて記録する番組信号記録方法であり、
前記入来する番組信号の記録に必要な記録容量が前記記録媒体上の空き容量を超えている場合に、前記複数の番組構成部分における少なくとも一の番組構成部分の記録ビットレートを他の番組構成部分に比して低下させることにより、前記入来する番組信号の記録に必要な記録容量を前記記録媒体上の空き容量以下とする
ことを特徴とする番組信号記録方法。
【発明の詳細な説明】
【０００１】
【発明の属する技術分野】
本発明は、入来する番組信号を記録する番組信号記録装置及び番組信号記録方法に関し、特に記録容量の限られる記録媒体上に番組信号を効率良く記録する技術に関する。
【０００２】
【従来の技術】
テレビジョン放送等の番組信号を記録する記録装置として、ビデオテープレコーダが広く普及している。このビデオテープレコーダには、通常、標準モードと長時間モード等、複数の記録モードが搭載され、同一磁気テープを使用時した場合でもその記録モードに応じて番組信号の記録画質と記録時間とが変化する。つまり、標準モードで記録すれば高画質の記録が可能であるが番組の記録時間が短くなり、長時間モードで記録すれば画質は低下するものの番組の記録時間が長くなる。
【０００３】
そして、このようなビデオテープレコーダの中には、録画予約で番組を録画する際、録画予約される番組の時間と磁気テープの残り記録時間とに応じて、番組の録画途中で録画モードを標準モードから長時間モードに切り替え、番組全体を磁気テープに記録すると共に、番組のより多くの時間を高画質で記録しようとする機能を搭載するものがある。
【０００４】
また、近年、ＨＤＤ等の磁気ディスク、あるいはＤＶＤ等の光ディスクなどを用いた番組信号の記録装置が開発され、製品化されつつある。その一例として、特開平９−９３５６２号公報には、ディスク記録媒体を用いて予約番組を録画する際、記録媒体の記録容量と予約番組の時間とから番組信号のエンコードレートを設定することにより、番組信号全体を記録媒体上に記録できるようにする技術が開示されている。
【０００５】
【発明が解決しようとする課題】
ところが、以上の如く記録装置では、番組信号の内容とは無関係に記録モードあるいはエンコードレートが設定されるため、例えば記録媒体の記録容量が充分でない場合には、番組全体にわたり記録画質が低下し、例えば、番組の始まりから終わりまでの間に重要な部分と重要でない部分とが存在する場合でも、その区別なく記録画質が設定されていた。
【０００６】
【課題を解決するための手段】
【０００７】
以上の課題を解決するために、本発明に係る番組信号記録装置は、入来する番組信号の内容に応じて、前記番組信号を複数の番組構成部分に識別する識別手段と、前記入来する番組信号の記録に必要な記録容量と、番組信号の記録のために使用できる記録媒体上の空き容量とを比較して、その比較結果と、前記入来する番組信号に付加されている番組の各構成部分の割合を示す情報と、番組の放送継続時間とに基づいて、前記複数の番組構成部分における各番組構成部分に対して、記録ビットレートを設定するビットレート設定手段と、前記入来する番組信号を前記ビットレート設定手段にて設定される記録ビットレートにて記録する記録手段とを備え、前記ビットレート設定手段は、前記入来する番組信号の記録に必要な記録容量が前記記録媒体上の空き容量を超えている場合に、前記複数の番組構成部分における少なくとも一の番組構成部分の記録ビットレートを他の番組構成部分に比して低下させることにより、前記入来する番組信号の記録に必要な記録容量を前記記録媒体上の空き容量以下とすることを特徴とするものである。
【０００８】
また、前記識別手段は、前記入来する番組信号に付加されている番組の各構成部分を示す付加情報に基づき前記複数の番組構成部分を識別することを特徴とするものである。
【０００９】
また、前記ビットレート設定手段は、前記記録ビットレートを前記入来する番組信号のビットレート以下に設定することを特徴とするものである。
【００１０】
また、前記ビットレート設定手段は、前記番組の各構成部分の割合を示す情報が、前記入来する番組信号に付加されていない場合は、前記入来する番組信号の番組と同一の番組が放送された時に取得した前記番組の各構成部分の割合を示す情報を、前記入来する番組信号の番組の各構成部分の割合を示す情報として用いることを特徴とするものである。
【００１１】
本発明に係る番組信号記録方法は、入来する番組信号の内容に応じて、前記番組信号を複数の番組構成部分に識別し、
前記入来する番組信号の記録に必要な記録容量と、番組信号の記録のために使用できる記録媒体上の空き容量との比較結果と、前記入来する番組信号に付加されている番組の各構成部分の割合を示す情報と、番組の放送継続時間とに基づいて、前記複数の番組構成部分における各番組構成部分の記録ビットレートを設定して、
前記番組信号を設定された記録ビットレートにて記録する番組信号記録方法であり、
前記入来する番組信号の記録に必要な記録容量が前記記録媒体上の空き容量を超えている場合に、前記複数の番組構成部分における少なくとも一の番組構成部分の記録ビットレートを他の番組構成部分に比して低下させることにより、前記入来する番組信号の記録に必要な記録容量を前記記録媒体上の空き容量以下とすることを特徴とするものである。
【００１２】
【発明の実施の形態】
図１は本発明の実施例に係る番組信号記録装置を説明するためのブロック図であり、ここでは、ＭＰＥＧトランスポートストリーム等の形態で入来するディジタル映像信号を記録するものとする。
【００１３】
同図において、１は入来するディジタル映像信号がコマーシャル部分であるか、番組のタイトルやエンディング部分であるか、あるいは番組本体部分であるかをディジタル映像信号に付加されている付加情報に基づき判別し、また、番組本体部分である場合には、更に番組本体におけるハイライト部分であるか等を判別するシーン情報検出部である。
【００１４】
また、２は付加情報に基づき番組の各シーンを判別すると共に、番組全体の占める各シーンの割合の情報がディジタル映像信号と共に伝送される場合にはこの割合情報を取得し、更に、付加情報に基づき番組の各シーンの割合を集計する機能を有するシーン割合設定部、３はシーン割合設定部２における集計結果を保持するメモリである。
【００１５】
また、４はシーン割合設定部２からの割合情報と記録媒体の空き容量とに基づき、記録ビットレートを演算する演算部、５はディジタル映像信号が入来し、これをシーン情報検出部１からの判別情報と演算部４からのビットレート情報とに基づき適切なビットレートに変換して出力するデータレート変換部である。
【００１６】
６はデータレート変換部５から出力されるディジタル映像信号に記録時に必要な所定の処理を施す記録信号処理部、７は記録信号処理部６からの記録信号を所定の信号レベルに調整する記録アンプ、８は記録アンプ７の出力する記録信号が記録される記録媒体である。
【００１７】
次に、以上の如く構成される番組信号記録装置の動作を説明する。
ここではまずディジタル映像信号と共に番組の各シーンの割合情報が伝送される場合について説明する。使用者がある番組の録画予約を設定すると、シーン割合設定部２は、この番組の番組開始時刻に先立ち伝送される番組の各シーンの割合情報を取得する。
【００１８】
そして、シーン割合設定部２は取得した割合情報を演算部４に出力し、演算部４は記録媒体８の空き容量とシーン割合設定部２が出力する割合情報に基づき番組の各シーンにおける記録ビットレートを設定する。ここで、伝送される番組全体のデータ量Ａは、録画予約情報に基づく番組の放送時間と放送される番組のビットレートＲｉにより算出することができる。
【００１９】
また、番組本体部分のデータ量Ｄ、ハイライト部分のデータ量Ｈ、コマーシャル部分のデータ量Ｃは、伝送される番組全体のデータ量Ａとシーン割合設定部２が出力する割合情報とに基づき夫々算出することができる。なお、番組のタイトルやエンディング部分については、ここでは、コマーシャル部分の一部として扱うものとする。
【００２０】
そして、演算部４は以下のようにして、番組の各部分のビットレートＲｄ、Ｒｈ、Ｒｃを設定する。図２において、Ｘは記録媒体８の空き容量を示しており、またＨ、Ｄ及びＣは、番組のハイライト部分のデータ量、番組本体部分のデータ量、コマーシャル部分のデータ量を夫々示している。なお、ここでは、Ｈ、Ｄ及びＣを夫々横方向に並べて示しているが、放送される番組がこの順番で行われるわけではない。そして、伝送される番組全体のデータ量Ａが空き容量Ｘ以下であれば、データレート変換部５は入来するディジタル映像信号のビットレートを変換することなく、そのまま記録信号処理部６に出力することで番組全体を録画することができる。
【００２１】
これに対し、番組全体のデータ量Ａが空き容量Ｘを超えている場合、つまり同図に示す▲１▼の場合は、このままのビットレートで番組全てを録画することができないため、まずコマーシャル部分のビットレートを下げることになる。なお、コマーシャル部分のビットレートの下限値Ｒ１と、番組本体部分及びハイライト部分のビットレートの下限値Ｒ２は、予め設定しておいても良いし、また、番組のビットレートＲｉに応じて変化させても良い。但し、この時のＲ１及びＲ２の値は、Ｒ１＜Ｒ２≦Ｒｉとなるよう設定される。
【００２２】
ここで、番組本体部分及びハイライト部分のビットレートＲｄ及びＲｈを変化させずに、番組全体を録画しようとすると、コマーシャル部分のデータ量ＣをＸ−（Ｈ＋Ｄ）まで圧縮しなければならない。その際のコマーシャル部分のビットレートはＲｉ×（Ｘ−（Ｈ＋Ｄ））／Ｃとなり、この値がコマーシャル部分のビットレートの下限値Ｒ１以上であれば、コマーシャル部分のビットレートＲｃがこの時の値に設定されるが、下限値Ｒ１を下回る場合には、コマーシャル部分のビットレートＲｃをＲ１に設定した上で、更に、番組本体部分のビットレートＲｄを下げることになる。
【００２３】
また、ハイライト部分のデータ量Ｈと番組本体部分のデータ量Ｄの合計が空き容量Ｘ以上である場合には、上記演算結果が０または負の値となるが、上記の場合と同様に下限値Ｒ１を下回っているため、コマーシャル部分のビットレートＲｃをＲ１に設定した上で、更に、番組本体部分のビットレートＲｄを下げることになる。
【００２４】
同図に示す▲２▼は、コマーシャル部分のビットレートＲｃをＲ１に設定したものの、依然として番組全てを録画することができない状態を示しており、コマーシャル部分のデータ量ＣがＣ２まで削減されている。
【００２５】
ここで、ハイライト部分のビットレートＲｈを変化させずに、番組全体を録画しようとすると、番組本体の部分のデータ量ＤをＸ−（Ｈ＋Ｃ２）まで圧縮しなければならない。その際の番組本体部分のビットレートはＲｉ×（Ｘ−（Ｈ＋Ｃ２））／Ｄとなり、この値が番組本体部分のビットレートの下限値Ｒ２以上であれば、番組本体部分のビットレートＲｄがこの時の値に設定されるが、下限値Ｒ２を下回る場合には、番組本体部分のビットレートＲｄをＲ２に設定した上で、更に、ハイライト部分のビットレートＲｈを下げることになる。
【００２６】
また、ハイライト部分のデータ量Ｈとデータ量を削減した後のコマーシャル部分のデータ量Ｃ２の合計が空き容量Ｘ以上である場合には、上記演算結果が０または負の値となり、この場合も番組本体部分のビットレートＲｄをＲ２に設定した上で、更に、ハイライト部分のビットレートＲｈを下げることになる。
【００２７】
同図に示す▲３▼は、コマーシャル部分のビットレートをＲ１、番組本体部分のビットレートをＲ２に設定したものの、依然として番組全てを録画することができない状態を示しており、コマーシャル部分のデータ量がＣ２、番組本体部分のデータ量がＤ２まで削減されている。
【００２８】
ここで、ハイライト部分のビットレートＲｈを下げて番組全体を録画しようとすると、ハイライト部分のデータ量ＨをＸ−（Ｃ２＋Ｄ２）まで圧縮しなければならない。その際のハイライト部分のビットレートはＲｉ×（Ｘ−（Ｃ２＋Ｄ２））／Ｈとなり、この値がハイライト部分のビットレートの下限値Ｒ２以上であれば、ハイライト部分のビットレートＲｈがこの時の値に設定されるが、下限値Ｒ２を下回る場合には、使用者に空き容量が不足している旨の警告を発する。
【００２９】
また、データ量を削減した後のコマーシャル部分のデータ量Ｃ２とデータ量を削減した後の番組本体部分のデータ量Ｄ２の合計が空き容量Ｘ以上である場合も同様に、使用者に空き容量が不足している旨の警告を発する。
【００３０】
図３は、コマーシャル部分のビットレートＲｃ、番組本体部分のビットレートＲｄ、ハイライト部分のビットレートＲｈの設定方法を示す流れ図である。演算部４は、記録媒体８の空き容量Ｘとシーン割合設定部２が出力する割合情報と録画予約情報とに基づき、番組全体のデータ量Ａ、番組本体部分のデータ量Ｄ、ハイライト部分のデータ量Ｈ、コマーシャル部分のデータ量Ｃを夫々算出し（Ｆ１０１）、その後番組全体のデータ量Ａと空き容量Ｘとを比較する（Ｆ１０２）。
【００３１】
その結果、番組全体のデータ量Ａが空き容量Ｘと等しいか、あるいは下回っている場合には、各部分のデータレートＲｃ、Ｒｄ、Ｒｈは全て番組のビットレートＲｉとされる（Ｆ１０３）。つまり、番組のビットレートＲｉを変換することなく、このままのビットレートで記録することになる。
【００３２】
一方、番組全体のデータ量Ａが空き容量Ｘを超えている場合には、Ｆ１０４の比較を行い、左辺がＲ１以上である場合、つまりコマーシャル部分のビットレートＲｃを下限値Ｒ１以上の値に設定するだけで、番組全体を録画できる場合には、コマーシャル部分のビットレートＲｃをＲｉ×（Ｘ−（Ｈ＋Ｄ））／Ｃに設定すると共に、番組本体及びハイライト部分のビットレートＲｄ及びＲｈは変更せずにＲｉとする（Ｆ１０５）。
【００３３】
また、Ｆ１０４の比較の結果、左辺がＲ１を下回る場合、つまりコマーシャル部分のビットレートＲｃを下限値Ｒ１に設定しただけでは、番組全体を録画できない場合には、更にＦ１０６の比較を行う。そして、Ｆ１０６において左辺がＲ２以上である場合、つまりコマーシャル部分のビットレートＲｃをＲ１にすると共に番組本体部分のビットレートＲｄを下限値Ｒ２以上の値に設定すれば、番組全体を録画できる場合には、コマーシャル部分のビットレートＲｃをＲ１、番組本体部分のビットレートＲｄをＲｉ×（Ｘ−（Ｈ＋Ｃ２））／Ｄに設定し、ハイライト部分のビットレートＲｈは変更せずにＲｉとする（Ｆ１０７）。
【００３４】
また、Ｆ１０６の比較の結果、左辺がＲ２を下回る場合、つまりコマーシャル部分のビットレートＲｃを下限値Ｒ１に設定し、番組本体部分のビットレートＲｄを下限値Ｒ２に設定しても、番組全体を録画できない場合には、更にＦ１０８の比較を行う。そして、Ｆ１０８において左辺がＲ２以上である場合、つまりコマーシャル部分のビットレートＲｃをＲ１にすると共に番組本体部分のビットレートＲｄをＲ２に設定し、更にハイライト部分のビットレートＲｈを下限値Ｒ２以上の値に設定すれば、番組全体を録画できる場合には、コマーシャル部分のビットレートＲｃをＲ１、番組本体部分のビットレートＲｄをＲ２、ハイライト部分のビットレートＲｈをＲｉ×（Ｘ−（Ｃ２＋Ｄ２））／Ｈに設定する（Ｆ１０９）。
【００３５】
そして、Ｆ１０８の比較の結果、左辺がＲ２を下回る場合、つまりコマーシャル部分のビットレートＲｃを下限値Ｒ１に設定し、番組本体部分及びハイライト部分のビットレートＲｄ及びＲｈを下限値Ｒ２に設定しても、番組全体を録画できない場合には、使用者に対して空き容量が不足している旨の警告を発する。
【００３６】
なお、このような場合には、例えば番組本体部分あるいはハイライト部分のビットレートＲｄあるいはＲｈの下限値Ｒ２を更に低くしてでも録画を行う、番組の一部が録画できなくても良いから設定される下限値のビットレートで録画を行う、録画を全く行わない等の処理が考えられる。
【００３７】
また、番組の一部が録画できなくても録画を行うという場合には、単に録画できるまで録画を行いその後録画を停止する、ハイライト部分のみ録画する、コマーシャル部分を除いて録画する、録画する時間帯を使用者が予め設定し、例えば番組の最初の部分と最後の部分のみ等を録画する等の処理が考えられる。
【００３８】
以上のようにして、コマーシャル部分のビットレートＲｃ、番組本体部分のビットレートＲｄ、ハイライト部分のビットレートＲｈが夫々設定され（Ｆ１１１）、設定されたビットレート情報がデータレート変換部５内の図示しないメモリに出力される。
【００３９】
そして、録画予約された番組が始まると、データレート変換部５はシーン情報検出部１から出力される判別情報がコマーシャル部分（番組のタイトル部分やエンディング部分を含む）を示している期間は出力データレートをＲｃとし、判別情報が番組本体部分を示している期間は出力データレートをＲｄとし、判別情報がハイライト部分を示している期間は出力データレートをＲｈとする。
【００４０】
以上のように、本発明に係る番組信号記録装置では、記録媒体の空き容量が番組全体を記録するのに充分でない場合でも、コマーシャル部分のデータ量、番組本体部分のデータ量、ハイライト部分のデータ量の順にデータ量が削減されるため、ハイライト部分あるいは番組本体部分の画質低下を最小限に抑えることができる。
【００４１】
なお、データレート変換部５におけるビットレートの変換は、圧縮されたディジタル映像信号を一旦伸張処理した後に、再度圧縮処理することでビットレートを変換しても良いし、他の方法でも良い。また、シーン情報検出部１、シーン割合設定部２及び演算部４における処理はマイコンで置きかえることも可能である。
【００４２】
次に、ディジタル映像信号と共に番組の各シーンの割合情報が伝送されない場合について説明する。使用者がある番組の録画予約を設定すると、シーン割合設定部２は、メモリ３に格納されている予測情報を読み出す。例えば、使用者が連続ドラマを録画予約するような場合、前回の放送分と比べてコマーシャル部分（番組のタイトル部分やエンディング部分を含む）の割合が変化する可能性は少ないため、前回放送時に集計した番組の各部分の割合を予測情報としてメモリ３に蓄えておくことで番組の各部分のビットレートを設定できる。
【００４３】
ここで、シーン割合設定部２は付加情報の一部として伝送さえる番組タイトルに基づき、過去に同一の番組を録画しているか否かをメモリ３内で検索し、割合情報が取得できない場合には、メモリ３内に蓄えられている同一の番組の予測情報を演算部４に出力する。但し、連続ドラマの場合には、初回放送分だけ特別に放送時間が長くなることもあるため、例えば、同一の番組でも放送時間が同一の場合に限りこの予測情報を利用しても良い。
【００４４】
また、メモリ３内には、番組のジャンルに応じた予測情報を規定値として蓄えておき、付加情報から番組のジャンルが識別できる場合には、識別された番組のジャンルにおける予測情報を演算部４に出力しても良い。そして、演算部４は記録媒体８の空き容量Ｘとシーン割合設定部２が出力する予測情報に基づき番組の各部分における記録ビットレートを設定する。
【００４５】
図４は、このように割合情報が伝送されない場合に、予測情報に基づき録画を行う際の動作を説明するための流れ図である。メモリ３に格納されている予測情報がシーン割合設定部２を介して演算部４に読み出されると（Ｆ２０１）、演算部４は記録媒体８の空き容量Ｘとシーン割合設定部２が出力する予測情報に基づき番組の各部分における記録ビットレートを図３で示した方法で設定する（Ｆ２０２）。
【００４６】
そして、設定された各部分のビットレート情報がデータレート変換部５内の図示しないメモリに出力される（Ｆ２０３）。録画予約情報に示される番組開始時刻になると、記録媒体８への番組の録画が開始されるが（Ｆ２０４）、例えば、シーン情報検出部１から出力される判別情報がコマーシャル部分であることを示している場合は（Ｆ２０５）、データレート変換部５における出力ビットレートがＲｃに設定される（Ｆ２０６）。
【００４７】
一方、シーン情報検出部１から出力される判別情報がコマーシャル部分ではなく、ハイライト部分であることを示している場合は（Ｆ２０７）、データレート変換部５における出力ビットレートがＲｈに設定され（Ｆ２０８）、コマーシャル部分でもハイライト部分でもない場合は、データレート変換部５における出力ビットレートがＲｄに設定される（Ｆ２０９）。
【００４８】
そして、Ｆ２０６、Ｆ２０８あるいはＦ２０９におけるビットレートの設定を終えた後に、ビットレートの見直しを行う（Ｆ２１０）。ここで示すビットレートの設定方法では、前述の如く、予測情報に基づき各部分のビットレートを設定し、このビットレートで録画を行っているため、例えばコマーシャル部分の割合が予測していたよりも少ない等の理由により番組を全て録画できなくなる可能性がある。
【００４９】
従って、後述する如く、録画の途中でビットレートを見直すことで番組全体を録画する。このようにして録画を行い、録画予約情報に示される番組終了時刻になると、記録媒体８への記録動作を終了するが（Ｆ２１２）、それまでの期間はＦ２０４からＦ１１１までの間の処理を繰り返すことになる。
【００５０】
図５は、予測情報に基づき番組録画を開始したものの、録画の途中でビットレートの見直しを行った場合の例を示す図である。なお、図５では、横軸が時間の経過、縦軸が録画に使用した記録媒体８の消費量を示している。また、点線は番組全体を４Ｍｂｐｓで録画した際の時間経過に伴う記録媒体８の消費量の推移を示している。
【００５１】
ここで録画予約した番組は６０分間の番組で、番組のビットレートＲｉは６Ｍｂｐｓ、予測情報に基づくコマーシャル部分の割合は１０％、ハイライト部分の割合は１０％、番組本体部分の割合は８０％であるものとする。また、この時の記録媒体８の空き容量Ｘは１６Ｇｂｉｔであり、更に、コマーシャル部分のビットレートの下限値Ｒ１は１Ｍｂｐｓ、番組本体部分及びハイライト部分のビットレートの下限値Ｒ２は４Ｍｂｐｓに設定されている。
【００５２】
この時、この番組全体のデータ量Ａは、２１．６Ｇｂｉｔ（６Ｍｂｐｓ×６０ｓｅｃ×６０ｍｉｎ）、コマーシャル部分のデータ量Ｃは、２．１６Ｇｂｉｔ（２１．６Ｇｂｉｔ×０．１）、ハイライト部分のデータ量Ｈは、２．１６Ｇｂｉｔ（２１．６Ｇｂｉｔ×０．１）、番組本体部分のデータ量Ｄは、１７．２８Ｇｂｉｔ（２１．６Ｇｂｉｔ×０．８）となる。
【００５３】
ここで、コマーシャル部分のビットレートＲｃを下限値Ｒ１である１Ｍｂｐｓまで下げても、ハイライト部分のデータ量Ｈと番組本体部分のデータ量Ｄとの合計が空き容量Ｘ以上であるため、番組本体部分のデータ量Ｄを削減する必要がある。
【００５４】
また、コマーシャル部分の削減後のデータ量Ｃ２は、０．３６Ｇｂｉｔ（２．１６Ｇｂｉｔ／６）であるため、番組本体部分のビットレートを約４．６８Ｍｂｐｓ（６Ｍｂｐｓ×（１６−（２．１６＋０．３６））／１７．２８）に設定できる。つまり、コマーシャル部分のビットレートＲｃを１Ｍｂｐｓ、番組本体部分のビットレートＲｄを４．６８Ｍｂｐｓ、ハイライト部分のビットレートＲｈを６Ｍｂｐｓとすることにより番組全体を録画できる予定となる。
【００５５】
なお、図５に示す一点鎖線は、時間経過に伴う記録媒体８の消費量の上限を示しており、この一点鎖線を越えて記録媒体８の記録容量を消費すると番組の残り部分のビットレートを番組本体部分及びハイライト部分のビットレートの下限値Ｒ２、つまり４Ｍｂｐｓのビットレートに設定しても番組全体を録画することができなくなる。
【００５６】
従って、この一点鎖線を越えて記録媒体８の記録容量を消費しなければ、仮に番組の残り部分にコマーシャル部分が存在しなくても、残り部分を下限値である４Ｍｂｐｓで録画でき、本発明に係る番組信号記録装置では、この一点鎖線に達した時点でビットレートが番組本体部分及びハイライト部分のビットレートの下限値Ｒ２、つまり４Ｍｂｐｓに設定される。
【００５７】
ここで、図５に示す如く、実際の放送が進行したとすると、コマーシャル部分が１５％（９／６０）、ハイライト部分が２５％（１５／６０）、番組本体部分が６０％（３６／６０）で、予測していた割合と大きく異なっており、予測情報に基づき設定されたビットレートにて録画を最後まで行うと、同図に示す一点鎖線を越えてしまうことになる。そこで、以下に示す如く、この線を越えようとする時には、ビットレートの見直しを行うことで番組全体を録画できるようにしている。
【００５８】
なお、同図に示す例では、２分間のコマーシャル部分、１８分間の番組本体部分、２分間のコマーシャル部分、１０分間のハイライト部分、１８分間の番組本体部分、５分間のコマーシャル部分、５分間のハイライト部分の順に６０分間の番組が放送され、番組開始から約４１分経過した時点で一点鎖線に達する限界点となり、ビットレートが４．６８Ｍｂｐｓから４Ｍｂｐｓに変更される。
【００５９】
その後、番組開始から５０分経過した時点で再びコマーシャル部分となったため、この期間のビットレートは１Ｍｂｐｓとされる。その結果、一点鎖線で示される記録媒体消費量に対して余裕ができ、更に、その後のハイライト部分ではビットレートが６Ｍｂｐｓとされたが番組全体を録画できている。
【００６０】
以上のように、予測情報を用いて各部分のビットレートを設定した場合には、実際に放送される番組における各部分の割合と、予測情報における割合とが異なることがあるが、録画の途中でビットレートを見直すことで、番組全体を良好に録画することができる。
【００６１】
なお、以上の説明では、ＭＰＥＧトランスポートストリームにより伝送される番組を録画した例を示したが、例えば、入来するアナログ映像信号の番組を録画しても構わない。その際、コマーシャル部分、番組のタイトルやエンディング部分、番組本体部分、ハイライト部分等を判別するための付加情報を得ることができなければ、例えば、ビデオテープレコーダで利用されているコマーシャル部分を検出する機構を用いてコマーシャル部分を検出すれば良い。
【００６２】
即ち、音声信号がモノラル音声であるか、あるいはステレオ音声であるかに応じてコマーシャル部分を判別したり、また、他の方法によりコマーシャル部分を判別し、コマーシャル部分とそれ以外の部分とで、記録するビットレートを変化させても良い。
【００６３】
そして、過去の録画予約情報に基づき録画を行ったことがあると思われる番組に関しては、メモリ内に保持されている予測情報を利用しても良く、入来するアナログ映像信号をディジタル信号に変換し、設定されるビットレートとなるようＭＰＥＧ方式のエンコード処理を行えば良い。
【００６４】
また、過去に録画を行っていない番組に関しても、予測情報の規定値に基づきコマーシャル部分とその他の部分のビットレートを設定し、図５で示した如く、録画の途中でビットレートを見直すことで、番組全体を良好に録画することができる。
【００６５】
【発明の効果】
本発明によれば、入来する番組信号を複数の番組構成部分に識別し、識別された番組構成部分毎に設定されるビットレートで番組信号が記録されるため、例えば、番組のコマーシャル部分とハイライト部分とを異なるビットレートに設定することにより、記録容量が充分でない記録媒体に番組信号を記録する際にも番組の重要部分の画質低下を最小限に抑えることができるという効果を奏する。
【図面の簡単な説明】
【図１】本発明に係る番組信号記録装置を説明するためのブロック図である。
【図２】記録ビットレートの設定方法を説明するための図である。
【図３】記録ビットレートの設定方法を説明するための流れ図である。
【図４】予測情報に基づき記録ビットレートを設定する際の記録動作を説明するための流れ図である。
【図５】録画の途中におけるビットレートの見直し方法を説明するための図である。
【符号の説明】
１…シーン情報検出部
２…シーン割合設定部
３…メモリ
４…演算部
５…データレート変換部
６…記録信号処理部
７…記録アンプ
８…記録媒体
【図１】
0004123674.tif 000002
【図２】
0004123674.tif 000003
【図３】
0004123674.tif 000004
【図４】
0004123674.tif 000005
【図５】
0004123674.tif 000006